(57)【要約】【課題】高周波配線部を短くすることにより、ＲＦＩを低減し、対策コストを低減させ、且つ基板の放熱を容易にすることが可能な画像記録装置を提供すること。【解決手段】レーザ光を前記感光体に走査するレーザ光走査手段３と、記録紙を給紙搬送する搬送手段５と、搬送手段５を含む機構部を駆動する本体側面に配置された駆動手段６と、電源回路部と電子写真プロセスを駆動する駆動回路部４とで構成される第１の回路手段１と、駆動手段６と、駆動回路部４、およびレーザ光走査手段３を制御する第２の回路手段２１と、レーザ光をオン／オフ変調する為の画像データを生成する第３の回路手段２２と、を有する画像記録装置において、第１の回路手段１を、本体背面に垂直配置し、第２の回路手段２２と第３の回路手段２３をレーザ光走査手段３の上部に水平配置することを特徴とする。【選択図】      図１
2005077611.tif 000002
【特許請求の範囲】
【請求項１】
外部装置からの画像データに基づきレーザ光をオン／オフ変調し、感光体に静電潜像を形成し、電子写真プロセスにより記録紙に画像を記録する画像記録装置で、
前記レーザ光を前記感光体に走査するレーザ光走査手段と、前記記録紙を給紙搬送する搬送手段と、前記搬送手段を含む機構部を駆動する本体側面に配置された駆動手段と、前記各手段に電源を供給する電源回路部と、前記電源回路部と前記電子写真プロセスを駆動する駆動回路部で構成される第１の回路手段と、前記機構部を駆動する駆動手段と、前記駆動回路部、および前記レーザ光走査手段を制御する第２の回路手段と、前記レーザ光をオン／オフ変調する為の画像データを生成する第３の回路手段と、を有する画像記録装置において、
前記第１の回路手段を、本体背面に垂直配置し、前記第２の回路手段と前記第３の回路手段を前記レーザ光走査手段の上部に水平配置することを特徴とする画像記録装置。
【請求項２】
前記レーザ光走査手段上の半導体レーザ及び前記半導体レーザを駆動する駆動回路を実装する第４の回路手段と、前記第２の回路手段との接続は、束線を介さず直接接続することを特徴とする請求項１に記載の画像記録装置。
【請求項３】
前記第１の回路手段と、前記第２の回路手段は同一基板上に部品実装した後、分割して使用することを特徴とする請求項１に記載の画像記録装置。
【請求項４】
前記第２の回路手段と、前記第３の回路手段を同一基板上に構成することを特徴とする請求項１に記載の画像記録装置。
【発明の詳細な説明】
【技術分野】
【０００１】
本発明は、レーザプリンタ等の電子写真プロセスによる画像記録装置の各機能部品の配置構成に関わるものである。
【背景技術】
【０００２】
外部装置からの画像データに基づきレーザ光をオン／オフ変調し、感光体に静電潜像を形成し、電子写真プロセスにより記録紙に画像を記録する画像記録装置が知られている（特許文献１参照）。図４は、画像記録装置としてのレーザプリンタに関する各機能部品の配置構成の一例を示したものである。
【０００３】
図４において、１１はプリンタエンジンの制御を司るエンジン制御基板、１２はホストコンピュータ（不図示）から送信される画像データを基に半導体レーザをオン／オフ変調する為のビットマップデータを生成するイメージコントローラ基板、１３は半導体レーザ、レーザ駆動回路、水平同期信号発生回路、ポリゴンモータ、レンズ、折り返しミラー等から構成されるスキャナユニット、１４は感光体ドラム、帯電ローラ、現像器、クリーナ容器等から構成されるプロセスカートリッジ、１５は記録紙を給紙搬送する搬送路、１６は搬送回路を駆動する駆動手段の駆動源であるモータである。
【０００４】
また、図４の構成によるレーザプリンタでは、エンジン制御基板１１が搬送路１５の下部に平面配置され、更にその下部にイメージコントローラ基板１２が配置され、スキャナユニット１３が搬送路の上部に配置され、搬送路１５とスキャナユニットの間にプロセスカートリッジ１４が配置されている。
【０００５】
次に、図５に基づき各回路基板の機能ブロック図を説明する。
すなわち、エンジン制御基板１１はスイッチング電源回路部１１ａ、紙搬送駆動等を行うモータ駆動回路部１１ｂ、電子写真プロセスに必要な高圧電源回路部１１ｃ、各駆動回路を制御するプロセッサを含むエンジン制御回路部１１ｄから構成される。
【０００６】
また、イメージコントローラ基板１２は、ホストコンピュータからの画像データに基づき、半導体レーザをオン／オフ変調するビットマップデータを生成したり、エンジン制御回路との通信を行うプロセッサ１２ａ、制御ＲＯＭ、及びビットマップデータを一時格納するＲＡＭ等から構成される。
【０００７】
スキャナユニット１３は、イメージコントローラ基板１２からのオン／オフデータに基づき、半導体レーザを駆動する半導体レーザ駆動回路部１３ａ、及び、半導体レーザからのレーザ光を感光ドラム上に水平走査するポリゴンスキャナ１３ｂ、水平同期信号を発生するＢＤセンサ（不図示）等から構成される。
以上が従来例のレーザプリンタの構成の一例である。
【０００８】
【特許文献１】特開平０７−３０１９６５号公報
【発明の開示】
【発明が解決しようとする課題】
【０００９】
ところで、前記従来例では、エンジン制御基板１１及び、イメージコントローラ基板１２を搬送路５の下部に平面配置し、スキャナユニット１３を搬送路の上部に配置していた。このために、エンジン制御基板１１あるいは、イメージコントローラ基板１２とスキャナユニット１３との接続は、束線或いはＦＦＣ等で行われており、距離が離れていることの結果として、その配線は長いものとなっていた。
【００１０】
特に近年は、レーザプリンタの高解像度化が進められたため、レーザオン／オフ信号（ＶＤＯ信号）の周波数も高周波となり、その結果、放射電界ノイズ（ＲＦＩ）が大きくなり、その対策が困難となってきた。
【００１１】
この対策のため、従来は、フェライトコアを束線に使用したり、シールド電線を使用していたが、非常にコストがかかっていた。
【００１２】
また、他の配置構成として、本体側板上にイメージコントローラ基板１２を配置した構成の画像記録装置もあるが、その際も、スキャナユニットとの接続を束線等を用いて行っていたため、前述構成同様ＲＦＩ対策が困難であった。
【００１３】
更に、発熱量の大きいスイッチング電源回路部１１ａを本体底面に水平配置しているため、放熱効率が悪く、機内温度上昇による部品の劣化や画質の低下などの弊害を生みやすく、また、これを回避するため、ファン等の空冷手段を用いるとコストアップが生じていた。
【００１４】
本発明は、従来技術の課題を解決するためになされたもので、その目的とするところは、高周波配線部を短くすることにより、ＲＦＩを低減し、対策コストを低減させ、且つ基板の放熱を容易にすることが可能な画像記録装置を提供することにある。
【課題を解決するための手段】
【００１５】
上記目的を達成するために本発明は、外部装置からの画像データに基づきレーザ光をオン／オフ変調し、感光体に静電潜像を形成し、電子写真プロセスにより記録紙に画像を記録する画像記録装置で、
前記レーザ光を前記感光体に走査するレーザ光走査手段と、前記記録紙を給紙搬送する搬送手段と、前記搬送手段を含む機構部を駆動する本体側面に配置された駆動手段と、前記各手段に電源を供給する電源回路部と、前記電源回路部と前記電子写真プロセスを駆動する駆動回路部で構成される第１の回路手段と、前記機構部を駆動する駆動手段と、前記駆動回路部、および前記レーザ光走査手段を制御する第２の回路手段と、前記レーザ光をオン／オフ変調する為の画像データを生成する第３の回路手段と、を有する画像記録装置において、
前記第１の回路手段を、本体背面に垂直配置し、前記第２の回路手段と前記第３の回路手段を前記レーザ光走査手段の上部に水平配置することを特徴とする。
【００１６】
前記レーザ光走査手段上の半導体レーザ及び前記半導体レーザを駆動する駆動回路を実装する第４の回路手段と、前記第２の回路手段との接続は、束線を介さず直接接続することが好適である。
【００１７】
前記第１の回路手段と、前記第２の回路手段は同一基板上に部品実装した後、分割して使用することが好適である。
【００１８】
前記第２の回路手段と、前記第３の回路手段を同一基板上に構成することが好適である。
【発明の効果】
【００１９】
以上説明したように、本発明における画像形成装置によれば、エンジン駆動に必要な、電源回路、高圧駆動回路、ヒータ駆動回路等の駆動回路を、本体背面に垂直配置し、エンジン制御回路とイメージコントローラ回路をレーザスキャナユニットの上部に平面配置することにより、高周波配線部を短くする事が出来、ＲＦＩを低減し、対策コストを低減させる事が可能となった。
【００２０】
また、発熱の大きい電源回路部等を垂直配置することにより、放熱効率を上げることが出来、機内温度上昇による部品の劣化や画質の低下などを防止することができる。更に、複数の基板を同一の基板から分割して使用することにより、部品の実装コストを大幅に削減することができる。
【発明を実施するための最良の形態】
【００２１】
以下に図面を参照して、この発明を実施するための最良の形態を例示的に詳しく説明する。
（第１の実施の形態）
図１は、本発明の第１の実施の形態を示すレーザプリンタ等の画像形成装置の各機能部品の配置構成であり、図１（ａ）は側面図を示し、図１（ｂ）は正面図を示す。図２は回路基板の機能ブロック図である。
【００２２】
図１及び図２において、１は第１の回路手段であるエンジン駆動回路基板である。エンジン駆動回路基板１は、図２に示すように、スイッチング電源回路部１ａ、定着ヒータ７の駆動を行うヒータ駆動回路部１ｂ、電子写真プロセスに必要な高圧電源回路部１ｃから構成される。
【００２３】
２１は第２の回路手段であるエンジン制御回路基板である。エンジン制御回路基板２１は、電子写真プロセスに必要な高圧電源回路制御部、ヒータ制御回路部、レーザスキャナ制御回路部、モータ駆動制御回路部とそれらを制御するプロセッサ２１ａから構成される。
【００２４】
また、第１の実施の形態では、エンジン制御回路基板２１にはモータ駆動回路２１ｂも実装されている。各制御信号は束線により、エンジン駆動回路基板１に接続される。
【００２５】
２２は第３の回路手段であるイメージコントローラ基板である。イメージコントローラ基板２２が、ホストコンピュータ（不図示）からの画像データに基づき、半導体レーザをオン／オフ変調するビットマップデータを生成したり、エンジン制御回路との通信を行うプロセッサ２２ａ、制御ＲＯＭ（不図示）、及びビットマップデータを一時格納するＲＡＭ（不図示）等から構成される。
【００２６】
３はスキャナユニット（レーザ光走査手段）である。スキャナユニット３は、イメージコントローラ基板２２からのオン／オフデータに基づき、半導体レーザを駆動する半導体レーザ駆動回路部３ａ、及び、半導体レーザからのレーザ光を感光ドラム上に水平走査するポリゴンスキャナ３ｂ、水平同期信号を発生するＢＤセンサ（不図示）等から構成される。なお、４はプロセスカートリッジ（駆動回路部）、８は駆動部である。
【００２７】
第１の実施の形態では、エンジン駆動回路基板１は、本体背面に垂直配置され、エンジン制御回路基板２１はスキャナユニット３の上部に平面配置されている。
【００２８】
また、イメージコントローラ基板２２もエンジン制御回路基板２１と同一面に水平配置されており、エンジン制御基板２１と接続されている。更に、イメージコントローラ基板２２からのＶＤＯ信号や、エンジン制御回路基板２１からのレーザ制御信号やポリゴンモータ制御信号等は第４の回路手段である半導体レーザ駆動回路部３ａと束線を介さず基板と基板がコネクタで直接接続されている。
【００２９】
以上説明した構成によれば、ＶＤＯ信号等の高周波制御信号が、極めて短絡して配線されるため、ＲＦＩの低減が可能となり、その対策コストを大幅に削減することができる。
【００３０】
また、この時、エンジン駆動回路基板１は、本体側面に垂直配置されており、且つ発熱部品であるモータ６の反対側に配置されているため、基板上の発熱部品の放熱効率が高く冷却ファン等を用いなくても、効率的に発熱部品の冷却を行うことができる。
【００３１】
（第２の実施の形態）
図３に本発明の第２の実施の形態を示す。
第１の実施の形態で説明したエンジン駆動回路基板１とエンジン制御回路基板２１は、第２の実施の形態では図３に示す様に、同一基板から構成されている。なお、第２の実施の形態において、第１の実施の形態と同一機能を有するものは第１の実施の形態と同一符号を付し、その説明は省略する。
【００３２】
第２の実施の形態によれば、部品実装を行った後、分割して本体に実装することにより、基板への部品実装を一括して行うことができ、且つ、基板単体の動作チェックを一度に行うことができる。こうすることにより、基板実装費、機能チェック費を大幅に削減することができ、本体の低コスト化を実現することができる。
【００３３】
また、本発明の第１の実施の形態で説明したエンジン制御回路基板２１とイメージコントローラ基板２２は別基板であったが、本発明はこれに限定されず、昨今のホストコンピュータの速度アップに伴い、ホストコンピュータからビットマップデータを転送するホストベースプリンタも市場に多く出回っている。ホストベースプリンタはイメージコントローラ回路の回路規模が簡素化されるため、前記エンジン制御回路基板２１と前記イメージコントローラ基板２２を同一基板に実装することも可能である。
【図面の簡単な説明】
【００３４】
【図１】本発明の第１の実施の形態を示す配置構成図である。
【図２】本発明の第１の実施の形態を示す回路機能ブロック図である。
【図３】本発明の第２の実施の形態を示す回路機能ブロック図である。
【図４】従来例を示す配置構成図である。
【図５】従来例を示す回路機能ブロック図である。
【符号の説明】
【００３５】
１  エンジン駆動回路基板（第１の回路手段）
３  スキャナユニット（レーザ光走査手段）
３ａ  半導体レーザ駆動回路部（第４の回路手段）
４  プロセスカートリッジ（駆動回路部）
６  メインモータ（駆動手段）
８  駆動部
１１  エンジン制御基板
１１ａ  スイッチング電源回路部
１１ｂ  モータ駆動回路部
１１ｃ  高圧電源回路部
１１ｄ  エンジン制御回路部
１２  イメージコントローラ基板
１３  スキャナユニット
１３ａ  半導体レーザ駆動回路部
１３ｂ  ポリゴンスキャナ
１４  プロセスカートリッジ
１５  搬送路
１６  駆動手段（モータ）
２１  エンジン制御基板（第２の回路手段）
２２  イメージコントローラ基板（第３の回路手段）
２３  イメージコントローラ及びエンジン制御基板
【図１】
2005077611.tif 000003
【図２】
2005077611.tif 000004
【図３】
2005077611.tif 000005
【図４】
2005077611.tif 000006
【図５】
2005077611.tif 000007